(57)【要約】  本発明は、評価装置（２４）を用いた少なくとも１つの第１風力発電設備（１００ａ）または１つの第１風力発電所（１１２ａ）への制御命令の出力方法、および／または、評価装置（２４）を用いた少なくとも１つの第１風力発電設備（１００ａ）または少なくとも１つの第１風力発電所（１１２ａ）の運転状態に関するイベントメッセージの出力方法に関する。この目的のために、少なくとも１つのさらなる風力発電設備（１００ｄ）または少なくとも１つのさらなる風力発電所（１１２ｂ）からのデータが評価装置（２４）によって受信され、制御命令またはイベントメッセージが、データを評価することによって生成され、出力される。本発明はまた、評価装置（２４）および上記方法を実行するための評価装置（２４）を有するシステムに関する。【選択図】図３
2019503155.tif 000002
【特許請求の範囲】
【請求項１】
評価装置（２４）を用いた少なくとも１つの第１風力発電設備（１００ａ）または少なくとも１つの第１風力発電所（１１２ａ）への制御命令の出力方法、および／または、評価装置（２４）を用いた少なくとも１つの前記第１風力発電設備（１００ａ）または少なくとも１つの前記第１風力発電所（１１２ａ）の運転状態に関するイベントメッセージの出力方法であって、
少なくとも１つのさらなる風力発電設備（１００ｄ）、特に、少なくとも１つのさらなる風力発電所（１１２ｂ）から、あるいは、少なくとも１つのさらなる風力発電所（１１２ｂ）からのデータが、前記評価装置（２４）によって受信され、前記評価装置（２４）によって評価され、
少なくとも１つの制御命令、または前記第１風力発電設備（１００ａ）または第１風力発電所（１１２ａ）のための少なくとも１つのイベントメッセージが、さらなる風力発電設備（１００ｄ）または前記さらなる風力発電所（１１２ｂ）から受信されたデータに基づいて出力される、
方法。
【請求項２】
前記第１風力発電設備（１００ａ）または前記第１風力発電所（１１２ａ）の第１制御部、および前記さらなる風力発電設備（１００ｄ）または前記さらなる風力発電所（１１２ｂ）のさらなる制御部は、データ接続部（２２）を介して接続され、前記評価装置（２４）は、前記第１風力発電設備（１００ａ）または前記第１風力発電所（１１２ａ）の第１風力発電所レギュレータ（１０）の制御部の一部である、
請求項１に記載の方法。
【請求項３】
前記第１風力発電設備（１００ａ）または前記第１風力発電所（１１２ａ）および前記さらなる風力発電設備（１００ｄ）または前記さらなる風力発電所（１１２ｂ）は、少なくとも１つのデータライン（３４，３６）を介して制御室（３０）に接続されており、前記評価装置（２４）は、前記制御室（３０）の一部である、
請求項１に記載の方法。
【請求項４】
第１測定値（４２ａ）に対応しており、前記第１風力発電設備（１００ａ）または前記第１風力発電所（１１２ａ）の少なくとも１つの第１センサを用いて取得される第１データを受信するステップ、
さらなる測定値（４２ｂ〜４２ｆ）に対応しており、前記第１風力発電設備（１００ａ）とは異なる少なくとも１つのさらなる風力発電設備（１００ｄ）、または前記第１風力発電所（１１２ａ）とは異なるさらなる風力発電所（１１２ｂ）の少なくとも１つのさらなるセンサによって取得されるさらなるデータを受信するステップ、
前記第１およびさらなる測定値（４２ａ〜４２ｆ）に基づいて、前記第１風力発電設備（１００ａ）または前記第１風力発電所（１１２ａ）を制御するステップ、および／または、
前記第１およびさらなる測定値（４２ａ〜４２ｆ）に基づいて、前記第１風力発電設備（１００ａ）または前記第１風力発電所（１１２ａ）の運転状態に関するイベントメッセージを出力するステップ、
を備えた、
上記請求項のいずれか１項に記載の方法。
【請求項５】
前記第１風力発電設備（１００ａ）または前記第１風力発電所（１１２ａ）の第１センサからの第１測定値（４２ａ）、およびさらなる風力発電設備（１００ｄ）またはさらなる風力発電所（１１２ｂ）のさらなるセンサからのさらなる測定値（４２ｂ〜４２ｆ）が、制御命令および／またはイベントメッセージを出力するために、前記評価装置（２４）へ供給され、前記風力発電設備（１００ａ〜１００ｆ）または前記風力発電所（１１２ａ，１１２ｂ）における前記センサが、それぞれほぼ同じ領域、またはほぼ同じ位置に配置されている、
上記請求項のいずれか１項に記載の方法。
【請求項６】
前記評価装置（２４）は、前記さらなる測定値（４２ｂ〜４２ｆ）から決定され、特に、平均値または前記さらなる測定値（４２ｂ〜４２ｆ）の平均値であって所定の閾値（５０）よりも大きい、前記さらなる測定値（４２ｂ〜４２ｆ）または基準値（５２）からの前記第１測定値（４２ａ）の偏差が検出されると、イベントメッセージ、特に、異常メッセージを出力する、
請求項４または５に記載の方法。
【請求項７】
最大で１００ｋｍの距離、例えば、５００ｍ、５ｋｍ、１０ｋｍ、２０ｋｍ、または５０ｋｍにある前記第１およびさらなる風力発電設備（１００ａ〜１００ｆ）および／または前記第１およびさらなる風力発電所（１１２ａ，１１２ｂ）の前記センサからの第１データ、特に、第１測定値（４２ａ）およびさらなるデータ、特に、さらなる測定値（４２ｂ〜４２ｆ）が、制御命令および／またはイベントメッセージを出力する目的のために受信され、および／または評価される、
上記請求項のいずれか１項に記載の方法。
【請求項８】
前記評価装置（２４）が前記さらなる風力発電設備（１００ｄ）の１つに堆積する氷を報告するさらなるデータを受信すると、前記第１風力発電設備（１００ａ）の前記氷の警告灯を作動させるための制御データが前記第１風力発電設備（１００ａ）に出力される、あるいは前記風力発電設備（１００ａ〜１００ｃ）の前記氷の警告灯を作動させるための制御データが、前記評価装置（２４）を用いて、前記第１風力発電所（１１２ａ）に出力される、
上記請求項のいずれか１項に記載の方法。
【請求項９】
前記評価装置（２４）は、前記第１風力発電所（１１２ａ）および前記さらなる風力発電所（１１２ｂ）内の前記風力発電設備（１００ａ〜１００ｆ）の飛行障害表示灯を同期して点滅させるために、さらなる風力発電設備（１００ｄ）またはさらなる風力発電所（１１２ｂ）から同期信号を持つデータを受信し、受信した前記同期信号に依存するさらなる同期信号の形式で、前記第１風力発電設備（１００ａ）または前記第１風力発電所（１１２ａ）に対して制御命令を送信する、
上記請求項のいずれか１項に記載の方法。
【請求項１０】
前記評価装置（２４）は、特に、データ交換を目的として、風力発電設備ではないさらなるエネルギー生成器を接続するための制御インターフェースを有し、前記さらなるエネルギー生成器は、前記インターフェースを介して、前記制御インターフェース、特に、規制値のようなデータ、すなわち、所望の電力値、所望の無効電力値等を送信または受信することによって制御される、
上記請求項のいずれか１項に記載の方法。
【請求項１１】
前記評価装置（２４）は、前記第１風力発電所（１１２ａ）、特に、前記第１風力発電所レギュレータ（１０）の一部であって、インターフェース（１８）を介して、少なくとも１つのさらなる風力発電所（１１２ｂ）のさらなる風力発電所レギュレータ（１６）から、所望の電力値のような規制値を受信する、
上記請求項のいずれか１項に記載の方法。
【請求項１２】
前記評価装置によってデータ接続部（２２，３６）を介して気象データが受信され、前記気象データは、前記評価装置において処理され、前記第１風力発電設備（１００ａ）または前記第１風力発電所（１１２ａ）を制御するための制御命令が、前記気象データに基づいて生成される、
上記請求項のいずれか１項に記載の方法。
【請求項１３】
少なくとも１つの第１風力発電設備（１００ａ）または第１風力発電所（１１２ａ）への制御命令の出力方法、および／または、少なくとも１つの第１風力発電設備（１００ａ）または第１風力発電所（１１２ａ）およびさらなる風力発電設備（１００ｄ）から送信されたデータを受信するためのさらなるインターフェース（１８，３２）、特に、さらなる風力発電所（１１２ｂ）または評価装置（２４）へのさらなる風力発電所（１１２ｂ）のイベントメッセージの出力するためのインターフェース（２３）を有する評価装置（２４）であって、
特に、上記請求項のいずれか１項に記載された方法を実行するように設定される、
評価装置（２４）。
【請求項１４】
特に、風力発電設備ではないさらなる電力生成器を接続するためのインターフェースを有する、
請求項１３に記載の評価装置（２４）。
【請求項１５】
請求項１から１２のいずれか１項に記載の方法を実行するために、特に、請求項１３または１４に記載の評価装置（２４）を有するシステムであって、
少なくとも１つの第１風力発電設備（１００ａ）または少なくとも１つの風力発電所（１１２ａ）と、
少なくとも１つのさらなる風力発電設備（１００ｄ）、特に、さらなる風力発電所（１１２ｂ）、または少なくとも１つのさらなる風力発電所（１１２ｂ）と、
少なくとも１つの前記第１風力発電設備（１００ａ）または少なくとも１つの前記第１風力発電所（１１２ａ）と、少なくとも１つの前記さらなる風力発電設備（１００ｄ）または少なくとも１つの前記さらなる風力発電所（１１２ｂ）との間においてデータを交換するデータ接続部（２２，３４，３６）と、
システム。
【発明の詳細な説明】
【技術分野】
【０００１】
本発明は、風力発電設備または風力発電所への制御命令の出力方法、または風力発電設備または風力発電所のためのイベントメッセージの出力方法に関する。本発明はまた、上記方法を実行するための評価装置、および上記方法を実行するための評価装置を有するシステムに関する。
【背景技術】
【０００２】
風力発電設備は、多数のセンサを有していることが知られている。センサは、例えば、風力発電設備の運転状態を監視するために使用される。例えば、風力発電設備の発電機の領域内の温度は、温度センサを用いて記録され、所定の正常範囲または許容範囲内にある限り、風力発電設備の無故障機能を示す。
【０００３】
温度の測定値が許容範囲を外れると、風力発電設備の誤動作が判定される。この場合、風力発電設備は、例えば、電源を切って、ネットワークから切り離されなければならない。温度測定値が正しく機能している風力発電設備を示すこれらの許容範囲は、通常、大きくなるように選択されなければならない。大きい許容範囲では、例えば、夏に高温に曝された風力発電設備からの高い測定値は、基本的には異常を示すものではなく、誤動作と解釈されない。
【０００４】
同様に、寒い地域や寒い季節にセンサの領域において測定され通常温度よりも低い風力発電設備の運転中の温度の値は、公差範囲の限界値を下回らない限り、風力発電設備の無故障機能として分類されなければならない。
【０００５】
これらの広く定義された公差範囲が異なるセンサに選択された結果、誤動作が動作挙動に重大な影響を及ぼした場合にのみ、風力発電装置の誤動作が発見される。
【先行技術文献】
【特許文献】
【０００６】
【特許文献１】英国特許出願公開第２４７５６０９号明細書
【特許文献２】米国特許出願公開第２００９／００３９６５０号明細書
【特許文献３】米国特許出願公開第２０１０／０１４３１２０号明細書
【特許文献４】国際公開第２００１／８０３９５号
【発明の概要】
【発明が解決しようとする課題】
【０００７】
従って、本発明の目的は、従来技術の欠点を除去することであり、特に、風力発電設備の正常値または異常運転状態とは異なる測定値をちょうどいい時に検出することができるようにすることである。いずれにしても、本発明の目的は、従来技術を発展させることにある。
【０００８】
本発明の優先権出願において、ドイツ特許商標庁は、以下の先行文献を調査した（英国特許出願公開第２４７５６０９号明細書、米国特許出願公開第２００９／００３９６５０号明細書、米国特許出願公開第２０１０／０１４３１２０号明細書、国際公開第２００１／８０３９５号）。
【課題を解決するための手段】
【０００９】
この点において、本発明は、評価装置を用いた少なくとも１つの第１風力発電設備または少なくとも１つの第１風力発電所への制御命令の出力方法、および／または、評価装置を用いた少なくとも第１風力発電設備または第１風力発電所の運転状態に関するイベントメッセージの出力方法に関する。本発明によれば、少なくとも１つのさらなる風力発電設備または少なくとも１つのさらなる風力発電所からのデータが、評価装置によって受信される。第１風力発電設備は、さらなる風力発電設備とは異なる風力発電設備であって、好ましくは、第１風力発電所とは異なるさらなる風力発電所に配置される。第１風力発電所は、さらなる風力発電所とは異なる風力発電所である。
【００１０】
受信データは評価装置において評価され、第１風力発電設備または第１風力発電所のための制御命令またはイベントメッセージが、受信され評価されたデータに基づいて、出力される。
【００１１】
従って、第１風力発電設備または第２風力発電所のための制御命令またはイベントメッセージを生成するために、さらなる風力発電設備またはさらなる風力発電所から評価装置へ供給されたデータは、評価装置において処理される。
【００１２】
データラインまたは無線データ接続部であるデータ接続部は、データを評価装置に送信する目的で、さらなる風力発電所またはさらなる風力発電設備と評価装置との間に提供されることが好ましい。
【００１３】
よって、本発明は、例えば、運転状態を評価し、第１風力発電設備または第１風力発電所の運転状態に介入することを目的として、さらなる風力発電設備またはさらなる風力発電所からの測定値であるデータを考慮に入れることを可能にする。
【００１４】
従って、例えば、データとして受信される第１風力発電設備または第１風力発電所の運転パラメータは、さらなる風力発電設備またはさらなる風力発電所のパラメータまたは測定値とは異なる場合には、第１風力発電設備または第１風力発電所の異常な運転状態を推測することが可能になる。よって、第１風力発電設備または第１風力発電所の運転パラメータが許容範囲外にならない限り、第１風力発電設備または第１風力発電所の異常な運転パラメータによいタイミングで反応することは既に可能である。
【００１５】
一実施形態によれば、第１風力発電設備または第１風力発電所の第１コントローラ、およびさらなる風力発電設備またはさらなる風力発電所のさらなるコントローラは、データ接続部を介して接続される。評価装置は、第１風力発電設備または第１風力発電所の第１コントローラの一部である。
【００１６】
よって、第１コントローラと、さらなる風力発電設備またはさらなる風力発電所のさらなるコントローラとの間にデータ接続部だけが確率されていなければならない結果として、評価装置は、既存の第１コントローラに容易に統合される。
【００１７】
さらなる実施形態によれば、第１風力発電設備または第１風力発電所の第１コントローラ、およびさらなる風力発電設備またはさらなる風力発電所のさらなるコントローラは、データ接続部を介して、評価装置がその一部である制御室へ接続される。
【００１８】
よって、複数の風力発電設備または複数の風力発電所がそれらのコントローラによって接続される中央制御室が提供される。従って、風力発電設備または風力発電所のための制御命令は、集中的に生成される、あるいは、風力発電設備または風力発電所のためのイベントメッセージは、評価装置を用いる制御室において、集中的に出力される。この場合には、運転パラメータ、例えば、他の風力発電設備または他の風力発電所からのセンサ値は、制御室で考慮される。
【００１９】
従って、接続された全ての風力発電設備または風力発電所からのパラメータ、値、または測定値の偏差を集中的に検出することができ、適切なタイミングで異常に対応することができるという結果として、中央評価および制御室に接続された全ての風力発電設備または風力発電所のための制御が可能である。
【００２０】
有利な実施形態によれば、この方法は、第１測定値に対応し、第１風力発電設備または第１風力発電所の少なくとも１つのセンサを用いて記録される第１データが評価装置によって受信されるステップを含む。この方法はまた、さらなる測定値に対応し、第１風力発電設備またはさらなる風力発電所とは異なる少なくとも１つのさらなる風力発電設備、または第１風力発電所とは異なるさらなる風力発電所の少なくとも１つのさらなるセンサを用いて記録されるさらなるデータを受信するステップを含む。
【００２１】
この方法はまた、第１およびさらなる測定値に基づいて、第１風力発電設備または第１風力発電所を制御するステップ、および／または、第１およびさらなる測定値に基づいて、第１風力発電設備または第１風力発電所の運転状態に関係するイベントメッセージを出力するステップを含む。
【００２２】
よって、第１風力発電設備または第１風力発電所を制御するために、センサ値または風力発電設備または風力発電所において測定された測定値が制御に使用されるだけでなく、むしろ、評価装置を用いて受信され記録されるもう１つの風力発電所またはもう１つの風力発電設備からのさらなる測定値も、制御命令または評価装置を用いる第１風力発電設備または第１風力発電所の運転状態に関係するイベントメッセージを出力するために、上記値に加えて用いられる。
【００２３】
さらなる有利な実施形態によれば、評価装置は、制御命令および／またはイベントメッセージを出力するために用いられ、第１風力発電設備または第１風力発電所のセンサからの第１測定値、および少なくとも１つの風力発電設備または１つのさらなる風力発電所のセンサからのさらなる測定値が、評価装置へ供給される。
【００２４】
この場合には、第１およびさらなる風力発電設備または第１またはさらなる風力発電所に配置されるセンサが、風力発電設備または風力発電所の実質的に同一の領域、または実質的に同一の位置にそれぞれ配置される。
【００２５】
よって、有利なことに、第１およびさらなる風力発電設備または第１またはさらなる風力発電所内の実際に匹敵する条件に曝されたセンサからの値だけが基準値を形成するため、さらなる測定値から基準値を正確に形成することができる。
【００２６】
さらなる実施形態によれば、さらなる測定値、またはさらなる測定値および、例えば、さらなる測定値の平均値または、平均値に依存するさらなる測定値の値から決定されるさらなる基準値から、第１風力発電設備または第１風力発電所の測定値の偏差が検出され、その偏差が所定の閾値を超えている場合には、評価装置が、イベントメッセージ、特に、異常メッセージを出力する。
【００２７】
よって、基準値は、例えば、平均値形成によって、評価装置内のさらなる測定値から基準値が決定される。さらに、この基準値に対する閾値が予め定められている、あるいは決定されている。今度は、第１測定値が所定の閾値以上に逸脱した場合には、第１測定値は、評価装置によって正しくないと解釈される。これは、第１風力発電設備または第１風力発電所の誤動作を推測する。
【００２８】
さらなる実施形態によれば、第１およびさらなる風力発電設備または風力発電所のセンサからの第１およびさらなる測定値は、最大で、１００ｋｍ未満、特に、５００ｍ、５ｋｍ、１０ｋｍ、２０ｋｍ、または５０ｋｍ未満であって、互いに、制御命令および／またはイベントメッセージを出力するために用いられる。
【００２９】
よって、第１風力発電設備または第１風力発電所から最大１００ｋｍの距離にあるさらなる風力発電設備または風力発電所からのさらなる測定値だけが、例えば、第１風力発電設備または第１風力発電所の領域に配置された評価装置において用いられる。
【００３０】
これにより、センサまたは風力発電設備がほぼ同じ領域に配置されている場合には、測定値を考慮する場合の環境条件の影響、例えば、第１およびさらなる測定値へ同等に影響する外気温への影響を補償することができる。
【００３１】
これらの距離を越えた場合、比較がますます困難になる、あるいはもはや不可能になるであろう。特定のイベントメッセージまたは特定の制御命令を形成するためには、特に、さらに短い所定の距離、すなわち、例えば、５００ｍから数ｋｍの距離が有利である。
【００３２】
さらなる実施形態によれば、さらなる風力発電設備の１つの上に堆積する氷がさらなるデータによって評価装置へ報告されると、氷警告灯を作動させる制御データが、評価装置を用いて、第１風力発電設備または第１風力発電所へ出力される。よって、第１風力発電設備においてまだ氷の堆積が検出されないにもかかわらず、第１風力発電所の氷警告灯は、すでにさらなる風力発電設備において検出された氷の堆積を利用して起動されることができる。
【００３３】
さらなる実施形態によれば、さらなる風力発電設備またはさらなる風力発電所の飛行障害表示灯と同期して点滅するように第１風力発電設備または第１風力発電所の飛行障害表示灯を引き起こすために、評価装置は、さらなる風力発電設備またはさらなる風力発電所からの同期信号の形式でデータを受信し、第１風力発電設備または第１風力発電所のためのさらなる同期信号の形式で制御命令を生成する。
【００３４】
これまで、ＧＰＳデータを用いた同期化などの複雑な方法を用いてのみ、飛行障害表示灯システムを同期的に点滅させることは可能であったが、今度は、風力発電設備や風力発電所間のデータ接続部を使用したさらに正確な単純同期が可能になる。
【００３５】
さらに有利な実施形態によれば、評価装置は、データ交換の目的のためのさらなるエネルギー生成器を接続するための制御インターフェースを有している。そして、さらなるエネルギー生成器は、制御インターフェースによって制御され、ケースデータが、この目的のために評価装置によってさらなるエネルギー生成器と交換される。制御目的のために、所望の電力値、所望の無効電力値等の規制値は、さらなるエネルギー生成器に送信され、特に、または、データが、インターフェースを介してさらなるエネルギー生成器から評価装置によって受信される。
【００３６】
よって、直接的なデータ交換によって、ネットワークオペレータとは独立して、風力発電設備またはさらなるエネルギー生成器を自立的に制御することができる。特に、第１風力発電所またはさらなる風力発電所によって、例えば、スランプ（slump）のために供給ネットワークに十分な電力が供給できない場合には、評価装置は、例えば、さらなるエネルギー生成器へ所望の電力値を出力することができる。
【００３７】
さらなる実施形態によれば、評価装置は、第１風力発電所の一部であって、第１風力発電所のコントローラ、すなわち、第１風力発電所の風力発電所レギュレータを置き換える。そして、評価装置は、少なくとも１つのさらなる風力発電所の風力発電所レギュレータから、データ接続部を介して、所望の電力値、所望の無効電力値等のような規制値を受信する。
【００３８】
従って、風力発電所は、さらなる風力発電所の風力発電所レギュレータによって規制され、例えば、第１風力発電所のコストを節約することができる。
さらなる実施形態によれば、さらなる風力発電設備または風力発電所から、データ接続部を介して、天候データが受信され、評価装置において処理される。第１風力発電設備または第１風力発電所を制御するための制御命令は、天候データに基づいて送信される。
【００３９】
従って、例えば、第１風力発電設備または第１風力発電所を制御する際の天気予報に基づいて、ネットワークオペレータによって予め定義された所望の値を、さらに考慮することができる。この場合には、天気予報は、第１風力発電設備または第１風力発電所の環境センサを用いて検出されたデータだけに基づかない。この結果、天候データは、より正確に予測され使用される。
【００４０】
本発明はまた、少なくとも１つの第１風力発電設備または第１風力発電所に制御命令を出力するためのインターフェース、および／または、少なくとも１つの風力発電設備または少なくとも１つの風力発電所の運転状態に関するイベントメッセージを出力するためのインターフェースを有する評価装置に関する。評価装置はまた、さらに、少なくとも１つのさらなる風力発電設備、特にさらなる風力発電所、または少なくとも１つの風力発電所から評価装置へ送信されるデータを受信するさらなるインターフェースを有している。特別な実施形態によれば、評価装置は、上述した実施形態の１つに係る方法を実行するために設定される。
【００４１】
さらなる実施形態によれば、評価装置は、さらなるエネルギー生成器に接続するための制御インターフェースを有している。この制御インターフェースは、さらなるエネルギー生成器を持つデータを交換し、エネルギー生成器を制御するために用いられる。特に、そのインターフェースは、所望の電力値、所望の無効電力値等の規制値を送信する、および／またはそのインターフェースを介してそういったデータを受信するために用いられる。
【００４２】
本発明はまた、少なくとも１つの第１風力発電設備または少なくとも１つの風力発電所、および少なくとも１つのさらなる風力発電設備または少なくとも１つのさらなる風力発電所を有するシステムに関する。さらなる風力発電設備は、特に、第１風力発電所とは異なるさらなる風力発電所における風力発電設備である。
【００４３】
上記システムはまた、少なくとも第１風力発電設備または少なくとも第１風力発電所と、および少なくとも１つのさらなる風力発電設備または少なくとも１つの風力発電所との間においてデータを交換するためのデータ接続部を有している。一実施形態によれば、上記システムは、上述した実施形態の１つに係る方法を実行するために設定され、さらなる特別の実施例の実施形態の発明に係る評価装置を備えている。
【００４４】
本発明の例示的な実施形態は、添付の図面を参照して、例として、以下でより詳細に説明される。
【図面の簡単な説明】
【００４５】
【図１】風力発電設備を示す図。
【図２】風力発電所を示す図。
【図３】第１風力発電所およびさらなる風力発電所を示す図。
【図４】図３の風力発電所および制御室を示す図。
【図５】第１風力発電設備およびさらなる風力発電設備からの測定値を示す図。
【発明を実施するための形態】
【００４６】
図１は、タワー１０２とナセル（nacelle）１０４とを有する風力発電設備１００を示す。３つのロータブレード１０８とスピナ１１０とを有するロータ１０６は、ナセル１０４に設けられている。運転中に、ロータ１０６は、風によって回転運動を実行され、それによりナセル１０４内の発電機を駆動する。
【００４７】
図１の風力発電設備１００は、図２を参照して以下で説明するように、風力発電所における複数の風力発電設備１００と組み合わせても運転されることもできる。
図２は、例として、３つの風力発電設備１００を有する風力発電所１１２を示す。風力発電設備１００は、同じであってもよいし、異なっていてもよい。よって、風力発電設備１００は、風力発電所１１２における基本的に任意の所望の数の風力発電設備１００を表す。風力発電設備１００は、特に、電気的な発電所ネットワーク１１４を介して、それぞれの電力、すなわち、生成された電流を供給する。この場合には、それぞれ生成され電流、または個々の風力発電設備１００からの電力が加えられ、一般にＰＣＣとも呼ばれる給電ポイント（feed-in point）１１８で供給ネットワーク１２０に給電するために、通常、発電所において電圧を上昇させる変圧器１１６が設けられる。
【００４８】
図２は、例えば、電力制御が自然に存在する場合でも、電力制御を示さない風力発電所１１２の簡略化された図だけである。発電所ネットワーク１１４も、例えば、他の１つの例示的な実施形態を名づけるために、それぞれの風力発電設備１００の出力に存在する変圧器によって、異なるものであってもよい。
【００４９】
図３は、今度は、第１風力発電所１１２ａとさらなる風力発電所１１２ｂとを示す。第１風力発電所１１２ａは、第１風力発電設備１００ａと、２つの風力発電設備１００ｂ，１００ｃとを有している。さらなる風力発電所１１２ｂは、さらなる風力発電設備１００ｄと風力発電設備１００ｅ，１００ｆとを有している。
【００５０】
第１風力発電所１１２ａの風力発電設備１００ａ〜１００ｃは、データ接続部１２を介して、第１風力発電所レギュレータ１０に接続されている。同様に、風力発電設備１００ｄ〜１００ｆは、データライン１４を介して、さらなる風力発電所レギュレータ１６に接続されている。
【００５１】
風力発電所レギュレータ１０，１６は、風力発電所１１２ａ，１１２ｂの個々の風力発電設備１００ａ〜１００ｆの電力生産を規制するために、ネットワークオペレータから異なるデフォルト値または所望の値を受信するように設定される。この目的のために、風力発電所レギュレータ１０，１６は、ここでは図示されていないが、インターフェースを有している。
【００５２】
ネットワークオペレータからの制御値を特定するためのインターフェースに加えて、第１風力発電所レギュレータ１０はインターフェース１８を有し、さらなる風力発電所レギュレータ１６はインターフェース２０を有し、それらのインターフェース１８，２０は、風力発電所レギュレータ１０，１６間においてデータを交換する目的で、データ接続部２２を介して互いに接続されている。データ接続部１２，１４を介して、それぞれ関連する風力発電設備１００ａ〜１００ｆとデータを交換することができるようにするために、第１風力発電所レギュレータ１０は、インターフェース２３も有し、さらなる風力発電所レギュレータ１６は、インターフェース２５も有している。
【００５３】
本ケースでは、第１風力発電所レギュレータ１０が、また、評価装置２４を備えており、この評価装置２４は、データライン２２を介して、さらなる風力発電所１１２ｂまたはさらなる風力発電設備１００ｄからデータを受信するように設定される。そして、評価装置２４においてデータが処理され、さらなる風力発電設備１００ａ、またはデータライン１２を介してさらなる風力発電所１１２ａの風力発電設備１００ａ〜１００ｃに、制御命令が出力される。
【００５４】
評価装置２４はまた、データライン１２を介して、データライン２２を介するさらなるデータに加えて、センサデータ、または第１風力発電所１１２ａの風力発電設備１００ａ〜１００ｃの状態を示すデータを、評価装置が受信し評価することによっても、イベントメッセージが出力されるように設定される。よって、評価装置２４は、第１データまたはデータライン１２を介して受信された測定値、およびさらなるデータ、またはデータライン２２を介して受信された測定値に基づいて、例えば、異常メッセージなどのイベントメッセージを出力するように設定される。この異常メッセージは、例えば、第１風力発電所レギュレータ１０のディスプレイに表示される。
【００５５】
図４は、図３の別の例示的な実施形態を示している。同一の参照符号は、同一の特徴に対応する。
風力発電所１１２ａ，１１２ｂは、インターフェース１８，２０を持たない風力発電所レギュレータ１０，１６において、それぞれが風力発電所レギュレータ１０，１６に再び接続される。その代わりに、第１風力発電所レギュレータ１０はインターフェース２６を有し、さらなる風力発電所レギュレータ１６はインターフェース２８を有している。図４の例示的な実施形態では、第１風力発電所レギュレータ１０はまた、評価装置２４を有していない。その代わりに、評価装置２４は、制御室３０の一部である。
【００５６】
制御室３０は、例えば、中央データ収集、または多数の風力発電所１１２が接続される制御ポイントであって、制御室３０は、全ての記録されたパラメータ、または風力発電設備１００または風力発電所１１２からのデータを保存し、評価することができる。接続された風力発電設備１００はまた、制御室３０を用いてリモートコントロールされてもよい。
【００５７】
評価装置２４は、データライン３４，３６を介して、風力発電所レギュレータ１０，１６のインターフェース２６，２８が接続されたインターフェース３２を備えている。制御室３０の評価装置２４は、データライン３６およびインターフェース３２を介して、さらなる風力発電所１１２ｂからのさらなるデータを受信し、これらのさらなるデータは、例えば、風力発電設備１００ｄ〜１００ｆからの測定値である。評価装置２４はまた、データライン３４を介して、第１風力発電所１１２ａからの第１データを受信し、第１データは、例えば、風力発電設備１００ａ〜１００ｃからの測定値である。そして、第１風力発電所１１２ａのための制御命令は、第１測定値とさらなる測定値とに基づいて、評価装置２４において生成され、第１風力発電所１１２ａの風力発電設備１００ａ〜１００ｃは、これらの制御命令を用いて制御される。
【００５８】
イベントメッセージ、例えば、異常メッセージはまた、第１およびさらなるデータ、または測定値に基づいて、制御室３０のディスプレイ（図示せず）に出力される。この目的のために、第１およびさらなるデータ、または測定値は、以下の図５において示される例に基づいて処理される。
【００５９】
図５は、評価装置２４において、第１風力発電所１１２ａおよび第２風力発電所１１２ｂから受信した測定値を示す図である。縦軸４０は、温度軸に対応する。個々の風力発電設備１００ａ〜１００ｆに割り当てられた測定値４２ａ〜４２ｆも示されている。測定値４２ａ〜４２ｆは、それぞれ、風力発電設備１００ａ〜１００ｆの発電機の領域において測定された温度値に対応する。センサは、全ての風力発電設備１００ａ〜１００ｆにおけるほぼ同じ位置に配置されている。
【００６０】
ここで、風力発電所１１２ａ，１１ｂが最大１００ｋｍの位置にあるとする。加えて、許容範囲４４が、上限値４６と下限値４８とによって表される。全ての測定値４２ａ〜４２ｆは、許容範囲４４の範囲内にある。しかし、測定値４２ａに対応する第１風力発電設備１００ａからの測定値が測定値４２ｂ〜４２ｆの平均値と閾値５０を超えて異なることが分かる。よって、本ケースでは、測定値４２ａが許容範囲内であっても、第１風力発電設備１００ａに異常があると推定される。
【００６１】
ここでは、平均値によって表される基準値５２とは閾値５０以上異なる測定値４２ａのために、評価装置２４によって、イベントメッセージ、例えば、異常メッセージが出力されることができる。
【００６２】
第１風力発電設備１００ａが依然として許容範囲４４によって定義される許容範囲内で運転されていても、第１風力発電設備１００ａが異常のためのネットワークから切断されることなく、従って、不規則性が既に認識され、異なる測定値４２ａの理由を監視し、場合によってはそれを排除することができるサービス員が第１風力発電設備１００ａに送られる。よって、切迫した異常に適切に対応することができる。
【図１】
2019503155.tif 000003
【図２】
2019503155.tif 000004
【図３】
2019503155.tif 000005
【図４】
2019503155.tif 000006
【図５】
2019503155.tif 000007
【手続補正書】
【提出日】平成30年5月8日(2018.5.8)
【手続補正１】
【補正対象書類名】特許請求の範囲
【補正対象項目名】請求項３
【補正方法】変更
【補正の内容】
【請求項３】
前記第１風力発電設備（１００ａ）または前記第１風力発電所（１１２ａ）および前記さらなる風力発電設備（１００ｄ）または前記さらなる風力発電所（１１２ｂ）は、少なくとも１つのデータ接続部（３４，３６）を介して制御室（３０）に接続されており、前記評価装置（２４）は、前記制御室（３０）の一部である、
請求項１に記載の方法。
【手続補正２】
【補正対象書類名】明細書
【補正対象項目名】全文
【補正方法】変更
【補正の内容】
【発明の詳細な説明】
【技術分野】
【０００１】
本発明は、風力発電設備または風力発電所への制御命令の出力方法、または風力発電設備または風力発電所のためのイベントメッセージの出力方法に関する。本発明はまた、上記方法を実行するための評価装置、および上記方法を実行するための評価装置を有するシステムに関する。
【背景技術】
【０００２】
風力発電設備は、多数のセンサを有していることが知られている。センサは、例えば、風力発電設備の運転状態を監視するために使用される。例えば、風力発電設備の発電機の領域内の温度は、温度センサを用いて記録され、所定の正常範囲または許容範囲内にある限り、風力発電設備の無故障機能を示す。
【０００３】
温度の測定値が許容範囲を外れると、風力発電設備の誤動作が判定される。この場合、風力発電設備は、例えば、電源を切って、ネットワークから切り離されなければならない。温度測定値が正しく機能している風力発電設備を示すこれらの許容範囲は、通常、大きくなるように選択されなければならない。大きい許容範囲では、例えば、夏に高温に曝された風力発電設備からの高い測定値は、基本的には異常を示すものではなく、誤動作と解釈されない。
【０００４】
同様に、寒い地域や寒い季節にセンサの領域において測定され通常温度よりも低い風力発電設備の運転中の温度の値は、公差範囲の限界値を下回らない限り、風力発電設備の無故障機能として分類されなければならない。
【０００５】
これらの広く定義された公差範囲が異なるセンサに選択された結果、誤動作が動作挙動に重大な影響を及ぼした場合にのみ、風力発電装置の誤動作が発見される。
【先行技術文献】
【特許文献】
【０００６】
【特許文献１】英国特許出願公開第２４７５６０９号明細書
【特許文献２】米国特許出願公開第２００９／００３９６５０号明細書
【特許文献３】米国特許出願公開第２０１０／０１４３１２０号明細書
【特許文献４】国際公開第２００１／８０３９５号
【発明の概要】
【発明が解決しようとする課題】
【０００７】
従って、本発明の目的は、従来技術の欠点を除去することであり、特に、風力発電設備の正常値または異常運転状態とは異なる測定値をちょうどいい時に検出することができるようにすることである。いずれにしても、本発明の目的は、従来技術を発展させることにある。
【０００８】
本発明の優先権出願において、ドイツ特許商標庁は、以下の先行文献を調査した（英国特許出願公開第２４７５６０９号明細書、米国特許出願公開第２００９／００３９６５０号明細書、米国特許出願公開第２０１０／０１４３１２０号明細書、国際公開第２００１／８０３９５号）。
【課題を解決するための手段】
【０００９】
この点において、本発明は、評価装置を用いた少なくとも１つの第１風力発電設備または少なくとも１つの第１風力発電所への制御命令の出力方法、および／または、評価装置を用いた少なくとも第１風力発電設備または第１風力発電所の運転状態に関するイベントメッセージの出力方法に関する。本発明によれば、少なくとも１つのさらなる風力発電設備または少なくとも１つのさらなる風力発電所からのデータが、評価装置によって受信される。第１風力発電設備は、さらなる風力発電設備とは異なる風力発電設備であって、好ましくは、第１風力発電所とは異なるさらなる風力発電所に配置される。第１風力発電所は、さらなる風力発電所とは異なる風力発電所である。
【００１０】
受信データは評価装置において評価され、第１風力発電設備または第１風力発電所のための制御命令またはイベントメッセージが、受信され評価されたデータに基づいて、出力される。
【００１１】
従って、第１風力発電設備または第２風力発電所のための制御命令またはイベントメッセージを生成するために、さらなる風力発電設備またはさらなる風力発電所から評価装置へ供給されたデータは、評価装置において処理される。
【００１２】
データラインまたは無線データ接続部であるデータ接続部は、データを評価装置に送信する目的で、さらなる風力発電所またはさらなる風力発電設備と評価装置との間に提供されることが好ましい。
【００１３】
よって、本発明は、例えば、運転状態を評価し、第１風力発電設備または第１風力発電所の運転状態に介入することを目的として、さらなる風力発電設備またはさらなる風力発電所からの測定値であるデータを考慮に入れることを可能にする。
【００１４】
従って、例えば、データとして受信される第１風力発電設備または第１風力発電所の運転パラメータは、さらなる風力発電設備またはさらなる風力発電所のパラメータまたは測定値とは異なる場合には、第１風力発電設備または第１風力発電所の異常な運転状態を推測することが可能になる。よって、第１風力発電設備または第１風力発電所の運転パラメータが許容範囲外にならない限り、第１風力発電設備または第１風力発電所の異常な運転パラメータによいタイミングで反応することは既に可能である。
【００１５】
一実施形態によれば、第１風力発電設備または第１風力発電所の第１コントローラ、およびさらなる風力発電設備またはさらなる風力発電所のさらなるコントローラは、データ接続部を介して接続される。評価装置は、第１風力発電設備または第１風力発電所の第１コントローラの一部である。
【００１６】
よって、第１コントローラと、さらなる風力発電設備またはさらなる風力発電所のさらなるコントローラとの間にデータ接続部だけが確率されていなければならない結果として、評価装置は、既存の第１コントローラに容易に統合される。
【００１７】
さらなる実施形態によれば、第１風力発電設備または第１風力発電所の第１コントローラ、およびさらなる風力発電設備またはさらなる風力発電所のさらなるコントローラは、データ接続部を介して、評価装置がその一部である制御室へ接続される。
【００１８】
よって、複数の風力発電設備または複数の風力発電所がそれらのコントローラによって接続される中央制御室が提供される。従って、風力発電設備または風力発電所のための制御命令は、集中的に生成される、あるいは、風力発電設備または風力発電所のためのイベントメッセージは、評価装置を用いる制御室において、集中的に出力される。この場合には、運転パラメータ、例えば、他の風力発電設備または他の風力発電所からのセンサ値は、制御室で考慮される。
【００１９】
従って、接続された全ての風力発電設備または風力発電所からのパラメータ、値、または測定値の偏差を集中的に検出することができ、適切なタイミングで異常に対応することができるという結果として、中央評価および制御室に接続された全ての風力発電設備または風力発電所のための制御が可能である。
【００２０】
有利な実施形態によれば、この方法は、第１測定値に対応し、第１風力発電設備または第１風力発電所の少なくとも１つのセンサを用いて記録される第１データが評価装置によって受信されるステップを含む。この方法はまた、さらなる測定値に対応し、第１風力発電設備またはさらなる風力発電所とは異なる少なくとも１つのさらなる風力発電設備、または第１風力発電所とは異なるさらなる風力発電所の少なくとも１つのさらなるセンサを用いて記録されるさらなるデータを受信するステップを含む。
【００２１】
この方法はまた、第１およびさらなる測定値に基づいて、第１風力発電設備または第１風力発電所を制御するステップ、および／または、第１およびさらなる測定値に基づいて、第１風力発電設備または第１風力発電所の運転状態に関係するイベントメッセージを出力するステップを含む。
【００２２】
よって、第１風力発電設備または第１風力発電所を制御するために、センサ値または風力発電設備または風力発電所において測定された測定値が制御に使用されるだけでなく、むしろ、評価装置を用いて受信され記録されるもう１つの風力発電所またはもう１つの風力発電設備からのさらなる測定値も、制御命令または評価装置を用いる第１風力発電設備または第１風力発電所の運転状態に関係するイベントメッセージを出力するために、上記値に加えて用いられる。
【００２３】
さらなる有利な実施形態によれば、評価装置は、制御命令および／またはイベントメッセージを出力するために用いられ、第１風力発電設備または第１風力発電所のセンサからの第１測定値、および少なくとも１つの風力発電設備または１つのさらなる風力発電所のセンサからのさらなる測定値が、評価装置へ供給される。
【００２４】
この場合には、第１およびさらなる風力発電設備または第１またはさらなる風力発電所に配置されるセンサが、風力発電設備または風力発電所の実質的に同一の領域、または実質的に同一の位置にそれぞれ配置される。
【００２５】
よって、有利なことに、第１およびさらなる風力発電設備または第１またはさらなる風力発電所内の実際に匹敵する条件に曝されたセンサからの値だけが基準値を形成するため、さらなる測定値から基準値を正確に形成することができる。
【００２６】
さらなる実施形態によれば、さらなる測定値、またはさらなる測定値および、例えば、さらなる測定値の平均値または、平均値に依存するさらなる測定値の値から決定されるさらなる基準値から、第１風力発電設備または第１風力発電所の測定値の偏差が検出され、その偏差が所定の閾値を超えている場合には、評価装置が、イベントメッセージ、特に、異常メッセージを出力する。
【００２７】
よって、基準値は、例えば、平均値形成によって、評価装置内のさらなる測定値から基準値が決定される。さらに、この基準値に対する閾値が予め定められている、あるいは決定されている。今度は、第１測定値が所定の閾値以上に逸脱した場合には、第１測定値は、評価装置によって正しくないと解釈される。これは、第１風力発電設備または第１風力発電所の誤動作を推測する。
【００２８】
さらなる実施形態によれば、第１およびさらなる風力発電設備または風力発電所のセンサからの第１およびさらなる測定値は、最大で、１００ｋｍ未満、特に、５００ｍ、５ｋｍ、１０ｋｍ、２０ｋｍ、または５０ｋｍ未満であって、互いに、制御命令および／またはイベントメッセージを出力するために用いられる。
【００２９】
よって、第１風力発電設備または第１風力発電所から最大１００ｋｍの距離にあるさらなる風力発電設備または風力発電所からのさらなる測定値だけが、例えば、第１風力発電設備または第１風力発電所の領域に配置された評価装置において用いられる。
【００３０】
これにより、センサまたは風力発電設備がほぼ同じ領域に配置されている場合には、測定値を考慮する場合の環境条件の影響、例えば、第１およびさらなる測定値へ同等に影響する外気温への影響を補償することができる。
【００３１】
これらの距離を越えた場合、比較がますます困難になる、あるいはもはや不可能になるであろう。特定のイベントメッセージまたは特定の制御命令を形成するためには、特に、さらに短い所定の距離、すなわち、例えば、５００ｍから数ｋｍの距離が有利である。
【００３２】
さらなる実施形態によれば、さらなる風力発電設備の１つの上に堆積する氷がさらなるデータによって評価装置へ報告されると、氷警告灯を作動させる制御データが、評価装置を用いて、第１風力発電設備または第１風力発電所へ出力される。よって、第１風力発電設備においてまだ氷の堆積が検出されないにもかかわらず、第１風力発電所の氷警告灯は、すでにさらなる風力発電設備において検出された氷の堆積を利用して起動されることができる。
【００３３】
さらなる実施形態によれば、さらなる風力発電設備またはさらなる風力発電所の飛行障害表示灯と同期して点滅するように第１風力発電設備または第１風力発電所の飛行障害表示灯を引き起こすために、評価装置は、さらなる風力発電設備またはさらなる風力発電所からの同期信号の形式でデータを受信し、第１風力発電設備または第１風力発電所のためのさらなる同期信号の形式で制御命令を生成する。
【００３４】
これまで、ＧＰＳデータを用いた同期化などの複雑な方法を用いてのみ、飛行障害表示灯システムを同期的に点滅させることは可能であったが、今度は、風力発電設備や風力発電所間のデータ接続部を使用したさらに正確な単純同期が可能になる。
【００３５】
さらに有利な実施形態によれば、評価装置は、データ交換の目的のためのさらなるエネルギー生成器を接続するための制御インターフェースを有している。そして、さらなるエネルギー生成器は、制御インターフェースによって制御され、ケースデータが、この目的のために評価装置によってさらなるエネルギー生成器と交換される。制御目的のために、所望の電力値、所望の無効電力値等の規制値は、さらなるエネルギー生成器に送信され、特に、または、データが、インターフェースを介してさらなるエネルギー生成器から評価装置によって受信される。
【００３６】
よって、直接的なデータ交換によって、ネットワークオペレータとは独立して、風力発電設備またはさらなるエネルギー生成器を自立的に制御することができる。特に、第１風力発電所またはさらなる風力発電所によって、例えば、スランプ（slump）のために供給ネットワークに十分な電力が供給できない場合には、評価装置は、例えば、さらなるエネルギー生成器へ所望の電力値を出力することができる。
【００３７】
さらなる実施形態によれば、評価装置は、第１風力発電所の一部であって、第１風力発電所のコントローラ、すなわち、第１風力発電所の風力発電所レギュレータを置き換える。そして、評価装置は、少なくとも１つのさらなる風力発電所の風力発電所レギュレータから、データ接続部を介して、所望の電力値、所望の無効電力値等のような規制値を受信する。
【００３８】
従って、風力発電所は、さらなる風力発電所の風力発電所レギュレータによって規制され、例えば、第１風力発電所のコストを節約することができる。
さらなる実施形態によれば、さらなる風力発電設備または風力発電所から、データ接続部を介して、天候データが受信され、評価装置において処理される。第１風力発電設備または第１風力発電所を制御するための制御命令は、天候データに基づいて送信される。
【００３９】
従って、例えば、第１風力発電設備または第１風力発電所を制御する際の天気予報に基づいて、ネットワークオペレータによって予め定義された所望の値を、さらに考慮することができる。この場合には、天気予報は、第１風力発電設備または第１風力発電所の環境センサを用いて検出されたデータだけに基づかない。この結果、天候データは、より正確に予測され使用される。
【００４０】
本発明はまた、少なくとも１つの第１風力発電設備または第１風力発電所に制御命令を出力するためのインターフェース、および／または、少なくとも１つの風力発電設備または少なくとも１つの風力発電所の運転状態に関するイベントメッセージを出力するためのインターフェースを有する評価装置に関する。評価装置はまた、さらに、少なくとも１つのさらなる風力発電設備、特にさらなる風力発電所、または少なくとも１つの風力発電所から評価装置へ送信されるデータを受信するさらなるインターフェースを有している。特別な実施形態によれば、評価装置は、上述した実施形態の１つに係る方法を実行するために設定される。
【００４１】
さらなる実施形態によれば、評価装置は、さらなるエネルギー生成器に接続するための制御インターフェースを有している。この制御インターフェースは、さらなるエネルギー生成器を持つデータを交換し、エネルギー生成器を制御するために用いられる。特に、そのインターフェースは、所望の電力値、所望の無効電力値等の規制値を送信する、および／またはそのインターフェースを介してそういったデータを受信するために用いられる。
【００４２】
本発明はまた、少なくとも１つの第１風力発電設備または少なくとも１つの風力発電所、および少なくとも１つのさらなる風力発電設備または少なくとも１つのさらなる風力発電所を有するシステムに関する。さらなる風力発電設備は、特に、第１風力発電所とは異なるさらなる風力発電所における風力発電設備である。
【００４３】
上記システムはまた、少なくとも第１風力発電設備または少なくとも第１風力発電所と、および少なくとも１つのさらなる風力発電設備または少なくとも１つの風力発電所との間においてデータを交換するためのデータ接続部を有している。一実施形態によれば、上記システムは、上述した実施形態の１つに係る方法を実行するために設定され、さらなる特別の実施例の実施形態の発明に係る評価装置を備えている。
【００４４】
本発明の例示的な実施形態は、添付の図面を参照して、例として、以下でより詳細に説明される。
【図面の簡単な説明】
【００４５】
【図１】風力発電設備を示す図。
【図２】風力発電所を示す図。
【図３】第１風力発電所およびさらなる風力発電所を示す図。
【図４】図３の風力発電所および制御室を示す図。
【図５】第１風力発電設備およびさらなる風力発電設備からの測定値を示す図。
【発明を実施するための形態】
【００４６】
図１は、タワー１０２とナセル（nacelle）１０４とを有する風力発電設備１００を示す。３つのロータブレード１０８とスピナ１１０とを有するロータ１０６は、ナセル１０４に設けられている。運転中に、ロータ１０６は、風によって回転運動を実行され、それによりナセル１０４内の発電機を駆動する。
【００４７】
図１の風力発電設備１００は、図２を参照して以下で説明するように、風力発電所における複数の風力発電設備１００と組み合わせても運転されることもできる。
図２は、例として、３つの風力発電設備１００を有する風力発電所１１２を示す。風力発電設備１００は、同じであってもよいし、異なっていてもよい。よって、風力発電設備１００は、風力発電所１１２における基本的に任意の所望の数の風力発電設備１００を表す。風力発電設備１００は、特に、電気的な発電所ネットワーク１１４を介して、それぞれの電力、すなわち、生成された電流を供給する。この場合には、それぞれ生成され電流、または個々の風力発電設備１００からの電力が加えられ、一般にＰＣＣとも呼ばれる給電ポイント（feed-in point）１１８で供給ネットワーク１２０に給電するために、通常、発電所において電圧を上昇させる変圧器１１６が設けられる。
【００４８】
図２は、例えば、電力制御が自然に存在する場合でも、電力制御を示さない風力発電所１１２の簡略化された図だけである。発電所ネットワーク１１４も、例えば、他の１つの例示的な実施形態を名づけるために、それぞれの風力発電設備１００の出力に存在する変圧器によって、異なるものであってもよい。
【００４９】
図３は、今度は、第１風力発電所１１２ａとさらなる風力発電所１１２ｂとを示す。第１風力発電所１１２ａは、第１風力発電設備１００ａと、２つの風力発電設備１００ｂ，１００ｃとを有している。さらなる風力発電所１１２ｂは、さらなる風力発電設備１００ｄと風力発電設備１００ｅ，１００ｆとを有している。
【００５０】
第１風力発電所１１２ａの風力発電設備１００ａ〜１００ｃは、データライン１２を介して、第１風力発電所レギュレータ１０に接続されている。同様に、風力発電設備１００ｄ〜１００ｆは、データライン１４を介して、さらなる風力発電所レギュレータ１６に接続されている。
【００５１】
風力発電所レギュレータ１０，１６は、風力発電所１１２ａ，１１２ｂの個々の風力発電設備１００ａ〜１００ｆの電力生産を規制するために、ネットワークオペレータから異なるデフォルト値または所望の値を受信するように設定される。この目的のために、風力発電所レギュレータ１０，１６は、ここでは図示されていないが、インターフェースを有している。
【００５２】
ネットワークオペレータからの制御値を特定するためのインターフェースに加えて、第１風力発電所レギュレータ１０はインターフェース１８を有し、さらなる風力発電所レギュレータ１６はインターフェース２０を有し、それらのインターフェース１８，２０は、風力発電所レギュレータ１０，１６間においてデータを交換する目的で、データライン２２を介して互いに接続されている。データライン１２，１４を介して、それぞれ関連する風力発電設備１００ａ〜１００ｆとデータを交換することができるようにするために、第１風力発電所レギュレータ１０は、インターフェース２３も有し、さらなる風力発電所レギュレータ１６は、インターフェース２５も有している。
【００５３】
本ケースでは、第１風力発電所レギュレータ１０が、また、評価装置２４を備えており、この評価装置２４は、データライン２２を介して、さらなる風力発電所１１２ｂまたはさらなる風力発電設備１００ｄからデータを受信するように設定される。そして、評価装置２４においてデータが処理され、さらなる風力発電設備１００ａ、またはデータライン１２を介してさらなる風力発電所１１２ａの風力発電設備１００ａ〜１００ｃに、制御命令が出力される。
【００５４】
評価装置２４はまた、データライン１２を介して、データライン２２を介するさらなるデータに加えて、センサデータ、または第１風力発電所１１２ａの風力発電設備１００ａ〜１００ｃの状態を示すデータを、評価装置が受信し評価することによっても、イベントメッセージが出力されるように設定される。よって、評価装置２４は、第１データまたはデータライン１２を介して受信された測定値、およびさらなるデータ、またはデータライン２２を介して受信された測定値に基づいて、例えば、異常メッセージなどのイベントメッセージを出力するように設定される。この異常メッセージは、例えば、第１風力発電所レギュレータ１０のディスプレイに表示される。
【００５５】
図４は、図３の別の例示的な実施形態を示している。同一の参照符号は、同一の特徴に対応する。
風力発電所１１２ａ，１１２ｂは、インターフェース１８，２０を持たない風力発電所レギュレータ１０，１６において、それぞれが風力発電所レギュレータ１０，１６に再び接続される。その代わりに、第１風力発電所レギュレータ１０はインターフェース２６を有し、さらなる風力発電所レギュレータ１６はインターフェース２８を有している。図４の例示的な実施形態では、第１風力発電所レギュレータ１０はまた、評価装置２４を有していない。その代わりに、評価装置２４は、制御室３０の一部である。
【００５６】
制御室３０は、例えば、中央データ収集、または多数の風力発電所１１２が接続される制御ポイントであって、制御室３０は、全ての記録されたパラメータ、または風力発電設備１００または風力発電所１１２からのデータを保存し、評価することができる。接続された風力発電設備１００はまた、制御室３０を用いてリモートコントロールされてもよい。
【００５７】
評価装置２４は、データライン３４，３６を介して、風力発電所レギュレータ１０，１６のインターフェース２６，２８が接続されたインターフェース３２を備えている。制御室３０の評価装置２４は、データライン３６およびインターフェース３２を介して、さらなる風力発電所１１２ｂからのさらなるデータを受信し、これらのさらなるデータは、例えば、風力発電設備１００ｄ〜１００ｆからの測定値である。評価装置２４はまた、データライン３４を介して、第１風力発電所１１２ａからの第１データを受信し、第１データは、例えば、風力発電設備１００ａ〜１００ｃからの測定値である。そして、第１風力発電所１１２ａのための制御命令は、第１測定値とさらなる測定値とに基づいて、評価装置２４において生成され、第１風力発電所１１２ａの風力発電設備１００ａ〜１００ｃは、これらの制御命令を用いて制御される。
【００５８】
イベントメッセージ、例えば、異常メッセージはまた、第１およびさらなるデータ、または測定値に基づいて、制御室３０のディスプレイ（図示せず）に出力される。この目的のために、第１およびさらなるデータ、または測定値は、以下の図５において示される例に基づいて処理される。
【００５９】
図５は、評価装置２４において、第１風力発電所１１２ａおよび第２風力発電所１１２ｂから受信した測定値を示す図である。縦軸４０は、温度軸に対応する。個々の風力発電設備１００ａ〜１００ｆに割り当てられた測定値４２ａ〜４２ｆも示されている。測定値４２ａ〜４２ｆは、それぞれ、風力発電設備１００ａ〜１００ｆの発電機の領域において測定された温度値に対応する。センサは、全ての風力発電設備１００ａ〜１００ｆにおけるほぼ同じ位置に配置されている。
【００６０】
ここで、風力発電所１１２ａ，１１ｂが最大１００ｋｍの位置にあるとする。加えて、許容範囲４４が、上限値４６と下限値４８とによって表される。全ての測定値４２ａ〜４２ｆは、許容範囲４４の範囲内にある。しかし、測定値４２ａに対応する第１風力発電設備１００ａからの測定値が測定値４２ｂ〜４２ｆの平均値と閾値５０を超えて異なることが分かる。よって、本ケースでは、測定値４２ａが許容範囲内であっても、第１風力発電設備１００ａに異常があると推定される。
【００６１】
ここでは、平均値によって表される基準値５２とは閾値５０以上異なる測定値４２ａのために、評価装置２４によって、イベントメッセージ、例えば、異常メッセージが出力されることができる。
【００６２】
第１風力発電設備１００ａが依然として許容範囲４４によって定義される許容範囲内で運転されていても、第１風力発電設備１００ａが異常のためのネットワークから切断されることなく、従って、不規則性が既に認識され、異なる測定値４２ａの理由を監視し、場合によってはそれを排除することができるサービス員が第１風力発電設備１００ａに送られる。よって、切迫した異常に適切に対応することができる。
【国際調査報告】
2019503155.tif 000008
2019503155.tif 000009
2019503155.tif 000010
2019503155.tif 000011
2019503155.tif 000012
2019503155.tif 000013